(57)【要約】      （修正有）【課題】選別弁の迅速かつ確実な開閉動作を実現し、処理水の選別精度を向上することができる選別槽における選別弁の提供。【解決手段】選別槽３の底面３７から内部に通される戻し配管３１および放流用配管３４を備え、選別槽３内に位置する戻し配管３１の開口端３２を戻し口３３とすると共に、放流用配管３４の上方の開口端３５を放流口３６として成る選別槽３における選別弁１１であって、上記選別弁１１は、戻し口３３を成す開口端３２に座すと共に、これを覆う弁本体１２と、弁本体１２を戻し配管３１の流れ方向３９に沿う方向に上下動させるアクチュエーター１３と、弁本体１２とアクチュエーター１３を連接する開閉ロッド１４と、開閉ロッド１４をガイドするロッドガイド１５より成り、戻し口３３を開とした際の開口端３２と弁本体１２との間の隙間が、放流口３６を成す開口端３５からオーバーフローする処理水Ｃの流量よりも大きな流量が確保できるように設定されていることを特徴とする。【選択図】図１
0003102161.tif 000002
【実用新案登録請求の範囲】
【請求項１】
処理すべき原水（Ａ）と中和薬液（Ｂ）を混合して中和処理された処理水（Ｃ）を受け入れると共に、上記処理水（Ｃ）が所定の水素イオン濃度に適合している場合には処理水（Ｃ）を放流し、上記処理水（Ｃ）が所定の水素イオン濃度に適合していない場合には処理水（Ｃ）を放流しないで原水貯槽（４）に戻すように成された選別槽（３）における選別弁（１１）であって、上記選別槽（３）は、選別槽（３）の底面（３７）から内部に通される戻し配管（３１）および放流用配管（３４）を備え、上記戻し配管（３１）の選別槽（３）内に位置する開口端（３２）を戻し口（３３）とすると共に、上記放流用配管（３４）の選別槽（３）内に位置し、上記戻し口（３３）よりも上方に位置する開口端（３５）を放流口（３６）として成るものであり、上記戻し口（３３）を開閉するために配設され、上記戻し口（３３）を開とすることによって処理水（Ｃ）を原水貯槽（４）に戻し、上記戻し口（３３）を閉とすることによって処理水（Ｃ）を選別槽（３）内に貯め、所定の液面レベルに上昇させた後に上記放流口（３６）から放流する選別槽（３）における選別弁（１１）において、
上記選別弁（１１）は、戻し口（３３）を構成する戻し配管（３１）の開口端（３２）の上方に設けられ、上記開口端（３２）に座すと共に、戻し口（３３）を覆う弁本体（１２）と、上記弁本体（１２）を戻し配管（３１）の流れ方向（３９）に沿う方向に上下動させるアクチュエーター（１３）と、弁本体（１２）とアクチュエーター（１３）を連接する開閉ロッド（１４）と、上記開閉ロッド（１４）をガイドするロッドガイド（１５）より成り、上記弁本体（１２）を戻し配管（３１）の流れ方向（３９）に逆向する上方へ移動させることによって、戻し口（３３）を構成する戻し配管（３１）の開口端（３２）と弁本体（１２）との間に隙間（Ｓ）を生じさせて戻し口（３３）を開とし、上記弁本体（１２）を戻し配管（３１）の流れ方向（３９）に順向する下方へ移動させることによって戻し口（３３）を構成する戻し配管（３１）の開口端（３２）に弁本体（１２）を座させて戻し口（３３）を閉とするものであり、しかも、上記戻し配管（３１）の開口端（３２）と弁本体（１２）との間の隙間（Ｓ）は、放流口（３６）を構成する放流用配管（３４）の開口端（３５）からオーバーフローする処理水（Ｃ）の流量より大きな流量が確保できるように設定されていることを特徴とする選別槽における選別弁。
【考案の詳細な説明】
【技術分野】
【０００１】
本考案は選別槽における選別弁に係り、更に詳しくは、選別槽に送られる処理水が所定の水素イオン濃度に適合している場合には放流し、所定の水素イオン濃度に適合していない場合には原水貯槽へ戻すという処理水の選別を確実に行うことができる選別槽における選別弁に関する。
【背景技術】
【０００２】
周知の通り、水を利用する場合あるいは水を処理する場合には、水のｐＨ調整を行うことが多く、例えば、汚水の処理の場合、クリーニング業者等が排出するアルカリ性汚水や金属表面加工業者等が排出する酸性汚水を、水質汚濁防止法に定められた水素イオン濃度の許容範囲（ｐＨ５．８〜８．６）とするための中和処理があり、この中和処理を行うために様々な中和処理装置が用いられている。
【０００３】
上記中和処理装置としては、処理すべき原水と中和薬液を入れる為の中和槽を多段に配し、上流側に位置する中和槽から徐々に中和処理を行う多段式の中和処理装置や、混合槽内において処理すべき原水と中和薬液を混合し、この混合した処理水の水素イオン濃度に応じた量の中和薬液を混合槽内に投入するようにした比例制御式の中和処理装置などがあるが、上記多段式の中和処理装置は、装置自体が大掛かりで設置コストが高く、また、設置スペースの確保が困難であるため、現在では、上記比例制御式の中和処理装置が広く用いられている。
【０００４】
上記比例制御式の中和処理装置は、多段式の中和処理装置に比して装置自体がコンパクトであり、設置スペースや設置コスト等の問題点は解決できるものの、比例制御式の中和処理装置の利点を引き出すためには、処理すべき原水と中和薬液を十分に混合する必要があると共に、処理水が所定の水素イオン濃度（例えば、水質汚濁防止法に定められた許容範囲）に適合している場合には処理水を放流し、所定の水素イオン濃度に適合していない場合には処理水を放流しないで原水貯槽へ確実に戻す必要があり、上記比例制御式の中和処理装置の利点を十分に引き出すことを目的として、本出願人は先に、中和処理装置における混合選別槽（特許文献１参照）を提案した。
【０００５】
上記中和処理装置における混合選別槽は、下部で連通する一次側混合槽と二次側混合槽とに区画されていると共に、一次側混合槽内および二次側混合槽内に処理すべき原水と中和薬液の混合を促すための流路形成板を配設して成る混合槽と、上記二次側混合槽からオーバーフローした処理水を放流あるいは原水貯槽に戻すための選別槽を備えて成る（特許文献１の図１参照）ものである。
【０００６】
そして、上記選別槽内には、戻し口を有する戻し配管と、上記戻し口よりも上方に位置する放流口を有する放流用配管が配設され（特許文献１の図１，図３参照）、選別槽に送られる処理水が所定の水素イオン濃度に適合している場合には選別弁によって上記戻し口を閉として処理水を選別槽内に貯め、所定の液面レベルに上昇させた後に上記放流口から放流用配管を経て放流し、処理水が所定の水素イオン濃度に適合していない場合には選別弁によって上記戻し口を開として処理水を戻し口から戻し配管を経て原水貯槽へ戻すように構成されている。
【０００７】
さらに、上記選別弁としては、戻し口を備えた戻し配管に配設される開閉弁や仕切弁が利用されているものであり、その開閉は、処理水の水素イオン濃度の測定結果に基づいて動作するアクチュエーターによって行われる。
【特許文献１】特公平４−２９４３８号公報
【考案の開示】
【考案が解決しようとする課題】
【０００８】
上記中和処理装置における混合選別槽は、上記のように構成されているので、処理すべき原水と中和薬液の混合を促し、処理すべき原水の中和処理を効率良く行うことができ、また、処理水が所定の水素イオン濃度に適合している場合には処理水を放流し、処理水が所定の水素イオン濃度に適合していない場合には処理水を放流しないで原水貯槽へ戻すことができるが、中和処理装置には、処理精度の向上が常に求められており、この要請に応えるためには、処理水の選別精度の向上が不可欠であり、選別弁が迅速かつ確実に開閉動作を行うことが必要となる。
【０００９】
そこで、上記選別弁を見てみると、選別弁として利用される開閉弁や仕切弁は、戻し配管に配設されて成り、戻し配管内を流れる処理水の流れ方向に対して直交する方向に開閉するものであり、全開あるいは全閉となるまでに少なからず時間が必要となり、この時間がタイムラグとなり、処理水の選別を行う際の精度の向上に限界が生じているものであった。
【００１０】
よって、本考案は、上記課題に鑑み、選別弁の迅速かつ確実な開閉動作を実現し、処理水の選別精度の向上を図ることができる選別槽における選別弁の提供を目的とするものである。
【課題を解決するための手段】
【００１１】
本考案は、上記目的を達成するために、次の技術的手段を有する。
即ち、考案を実施するために最良の形態および実施例に対応する添付図面に使用した符号を用いて説明すると、処理すべき原水Ａと中和薬液Ｂを混合して中和処理された処理水Ｃを受け入れると共に、上記処理水Ｃが所定の水素イオン濃度に適合している場合には処理水Ｃを放流し、上記処理水Ｃが所定の水素イオン濃度に適合していない場合には処理水Ｃを放流しないで原水貯槽４に戻すように成された選別槽３における選別弁１１であって、上記選別槽３は、選別槽３の底面３７から内部に通される戻し配管３１および放流用配管３４を備え、上記戻し配管３１の選別槽３内に位置する開口端３２を戻し口３３とすると共に、上記放流用配管３４の選別槽３内に位置し、上記戻し口３３よりも上方に位置する開口端３５を放流口３６として成り、上記戻し口３３を開閉するために配設された選別槽３における選別弁１１において、上記選別弁１１は、戻し口３３を構成する戻し配管３１の開口端３２に座すと共に、戻し口３３を覆う弁本体１２と、上記弁本体１２を戻し配管３１の流れ方向３９に沿う方向に上下動させるアクチュエーター１３と、弁本体１２とアクチュエーター１３を連接する開閉ロッド１４と、上記開閉ロッド１４をガイドするロッドガイド１５より成り、上記弁本体１２を戻し配管３１の流れ方向３９に逆向する上方へ移動させ、戻し口３３を構成する戻し配管３１の開口端３２と弁本体１２との間に隙間Ｓを生じさせて戻し口３３を開とし、上記弁本体１２を戻し配管３１の流れ方向３９に順向する下方へ移動させ、戻し口３３を構成する戻し配管３１の開口端３２に弁本体１２を座させて戻し口３３を閉とするものであり、しかも、上記戻し口３３を開とした際の戻し配管３１の開口端３２と弁本体１２との間の隙間Ｓが、放流口３６を構成する放流用配管３４の開口端３５からオーバーフローする処理水Ｃの流量よりも大きな流量が確保できるように設定されていることを特徴とする選別槽における選別弁である。
【考案の効果】
【００１２】
本考案の選別弁１１は、上記の如く構成され、選別弁１１の開閉動作が、戻し口３３から戻し配管３１を経て流出する処理水Ｃの流れ方向３９に沿った方向に行われるので、選別弁１１が開動作を行った場合には、開動作と同時に戻し口３３を構成する開口端３２から弁本体１２の全体が離れることとなり、戻し口３３が瞬時に全開の状態となり、また、選別弁１１の閉動作を行う場合は、弁本体１２を戻し口３３を構成する開口端３２上に座させるだけで良いので、選別弁１１の開閉時における全開あるいは全閉となるまでのタイムラグが少なく、処理水Ｃの選別精度の向上を図ることができる。
【考案を実施するための最良の形態】
【００１３】
次に添付図面に基づき、本考案の中和処理装置の選別槽における選別弁について説明する。
図１は、本考案の選別弁１１を有する選別槽３を備えた混合選別槽１を示し、混合選別槽１は、混合槽２および選別槽３が一体的に形成されたものであって、処理すべき原水Ａと中和薬液Ｂを混合槽２にて混合して中和処理した後、選別槽３にて処理水Ｃが所定の水素イオン濃度に適合している場合には処理水Ｃを放流し、処理水Ｃが所定の水素イオン濃度に適合していない場合には処理水Ｃを放流しないで原水貯槽４に戻すものである。
【００１４】
上記混合選別槽１を構成する混合槽２は、図２，図５に示したように、縦長の箱状体として形成された混合槽本体２１と、上記混合槽本体２１内に配設される流路形成体２２より成り、下部にて連通する一次側混合槽２５と二次側混合槽２６に区画されていると共に、一次側混合槽２５および二次側混合槽２６の内部に処理すべき原水Ａと中和薬液Ｂの混合を行うための流路が形成されている。
【００１５】
上記流路形成体２２は、混合槽本体２１内を一次側混合槽２５と二次側混合槽２６に区画する区画板６１と、上記区画板６１によって一次側混合槽２５と二次側混合槽２６に区画された混合槽本体２１の内部に流路を形成するための複数の流路形成板６２を備えて成り、上記複数の流路形成板６２は、区画板６１の一次側混合槽２５に向かう面および二次側混合槽２６に向かう面の各々から混合槽本体２１の内壁２４に向かって延出するようにしてに配設され、上記区画板６１の下部には開口部６３が形成されている。
【００１６】
そして、一次側混合槽２５内には、一次側混合槽２５の上方から下方に向かって流れる処理すべき原水Ａおよび中和薬液Ｂの流れ方向に沿うようにして、互いに平行な２枚の流路形成板６２が配置され、また、二次側混合槽２６内には、二次側混合槽２６の下方から上方に向かって流れる処理すべき原水Ａおよび中和薬液Ｂの流れ方向に対して垂直であり且つ流路形成板６２の上流側に位置する流路を遮るようにして３枚の流路形成板６２が配置されており、処理すべき原水Ａと中和薬液Ｂの流れを乱流として乱流撹拌を行うように構成されている。
【００１７】
そして、上述したように、混合槽２は、混合槽本体２１の内部に、流路形成体２２によって形成される一次側混合槽２５から二次側混合槽２６に連なる連続した流路を備えて成り、上記二次側混合槽２６の上部には、オーバーフロー用開口部２３が形成されており、処理すべき原水Ａと中和薬液Ｂを一次側混合槽２５の上部から受け入れ、一次側混合槽２５から二次側混合槽２６に連なる流路によって混合・中和処理した処理水Ｃを、二次側混合槽２６の上部のオーバーフロー用開口部２３から上記選別槽３へと流出させるように構成されている。
【００１８】
さらに、上記流路形成体２２の二次側混合槽２６側の上部には、オーバーフロー用開口部２３からオーバーフローして選別槽３へと流出する処理水Ｃの水素イオン濃度（ｐＨ値）を測定するためのｐＨセンサー９（図６参照）を保持するｐＨセンサー保持部６４が設けられている。
【００１９】
そして、上記混合槽２を構成する混合槽本体２１および流路形成体２２の上部にはフタ６５が配設されるものであり、混合槽本体２１内に流れ込む処理すべき原水Ａおよび中和薬液Ｂの外部への飛散や異物の混入が防止されている。
【００２０】
上記混合選別槽１を構成する選別槽３は、混合槽２から流出する処理水Ｃを受け入れる縦長の箱状体として形成され、上記混合槽２の上部に形成されたオーバーフロー用開口部２３に対応する切欠き部３８（図２，図３参照）を備え、さらに、その内部には、選別槽３の底面３７から内部に通される戻し配管３１および放流用配管３４が配設され、上記戻し配管３１の選別槽３内に位置して上向きに開口する開口端３２が戻し口３３を構成すると共に、上記放流用配管３４の選別槽３内に位置して上向きに開口すると共に、戻し口３３よりも上方に位置する開口端３５が放流口３６を構成している。
【００２１】
そして、本考案の選別槽３における選別弁１１は、上記戻し口３３を開とすることによって処理水Ｃを戻し口３３から戻し配管３１を介して原水貯槽４に戻し、上記戻し口３３を閉とすることによって処理水Ｃを選別槽３内に貯め、所定の液面レベルに上昇した後に上記放流口３６から放流用配管３４を介して放流するために用いるものであり、以下にその詳細を説明する。
【００２２】
選別弁１１は、上記戻し口３３を構成する戻し配管３１の開口端３２の上方に設けられ、上記開口端３２に座すと共に、戻し口３３の全体を覆う弁本体１２と、上記弁本体１２を戻し配管３１の流れ方向３９に沿う方向に上下動させるアクチュエーター１３と、弁本体１２とアクチュエーター１３を連接する開閉ロッド１４と、上記開閉ロッド１４をガイドするロッドガイド１５によって構成されている。
【００２３】
上記アクチュエーター１３は、選別槽３の上方を覆うフタ部材１６上に配設され、フタ部材１６上に立設された一対の支持部材１７上に載置される保持板１８に保持されているものであり、上記保持板１８は、上記一対の支持部材１７の各々に形成された一対の位置決め突起１９間に載置されている。
【００２４】
さらに、上記一対の位置決め突起１９の互いに向かい合う面は、下方に行くに従って互いの間隔が狭くなるテーパー面２０によって構成されており、上記保持板１８は、このテーパー面２０によって常に所定の位置に載置される。
【００２５】
また、上記アクチュエーター１３としては、上下方向への往復動を行う駆動装置等を用いることができ、特に、往復動作が速く且つ簡素な構造を有するソレノイドが好ましい。
【００２６】
そして、上記開閉ロッド１４とアクチュエーター１３および弁本体１２とは、ピン等の接続手段によって接続され、さらに、上記ロッドガイド１５は、上記フタ部材１６に対して固定され、ロッドガイド１５の下端に取り付けられている弁本体１２を上記戻し口３３上に正確に導けるように成されている。
【００２７】
また、上記開閉ロッド１４と弁本体１２とをボールジョイント等を用いて接続することも考慮され、この場合には、より確実に弁本体１２を戻し口３３を構成する開口端３２に座させることができ、選別弁１１の信頼性を高めることができる。
【００２８】
さらに、上述した如く、本考案の選別弁１１を構成する各部材は、選別槽３の上方を覆うフタ部材１６に対して配設され、選別槽３内に位置する戻し口３３および戻し口３３を構成する開口端３２とは、完全に独立した状態で配設されているものであり、選別槽３および選別弁１１のメンテナンスが非常に容易となる。
【００２９】
次に、上記構成に基づいて、本考案の選別弁１１の開閉動作について説明する。
選別弁１１の開閉動作、即ち、選別槽１１の戻し口３３の開閉は、上記選別弁１１を構成するアクチュエーター１３に対する開閉信号によって行われ、上記開閉信号は、上記混合槽３によって混合中和処理された処理水Ｃの水素イオン濃度に基づくものであり、処理水Ｃが所定の水素イオン濃度に適合している場合には、戻し口３３を閉とするための信号が、処理水Ｃが所定の水素イオン濃度に適合していない場合には、戻し口３３を開とするための信号が制御部（図６参照）から送られる。
【００３０】
そして、上記開閉信号によって、選別弁１１の開閉動作が行われるものであり、選別弁１１の開動作は、上記弁本体１２を戻し配管３１の流れ方向３９に逆向する上方へ移動させることによって、戻し口３３を構成する戻し配管３１の開口端３２と弁本体１２との間に隙間Ｓを生じさせて戻し口３３を開とするものであり、選別弁１１の閉動作は、上記弁本体１２を戻し配管３１の流れ方向３９に順向する下方へ移動させることによって戻し口３３を構成する戻し配管３１の開口端３２に弁本体１２を座させて戻し口３３を閉とするものである。
【００３１】
そして、上記戻し口３３を開とした際の戻し配管３１の開口端３２と弁本体１２との間の隙間Ｓは、放流口３６を構成する放流用配管３４の開口端３５からオーバーフローする処理水Ｃの流量（選別槽３に流入する処理水Ｃの流量）よりも大きな流量が確保できるように設定されているものであり、本実施の形態の場合、戻し配管３１と放流用配管３４の径が同じ、即ち、戻し口３３および放流口３６の開口面積が同一であるので、図３，図４に示したように、戻し配管３１の開口端３２と弁本体１２との間の隙間Ｓを、放流口３６を構成する放流用配管３４の開口端３５からオーバーフローする処理水Ｃの開口端３５上における水位Ｌより大きく設定することで、オーバーフローする処理水Ｃの流量よりも大きな流量を確保している。
【００３２】
そして、上述したように、選別弁１１が開動作を行った場合には、開動作と同時に戻し口を構成する開口端から弁本体の全体が離れることとなり、戻し口が瞬時に全開の状態となるので、処理水Ｃを戻し口３３から原水貯槽４に即座に戻すことができ、処理水Ｃの選別精度の向上を図ることができる。
【００３３】
また、選別弁１１の閉動作を行う場合は、ロッドガイド１５にガイドされた開閉ロッド１４により、弁本体１２が正確に戻し口３３を構成する開口端３２上に座されるので、処理水Ｃの戻し口３３からの漏えい等を確実に防止することができ、この場合も、処理水Ｃの選別精度の向上を図ることができる。
【００３４】
さらに、上述したように、選別弁１１の開閉動作は、戻し口３３から戻し配管３１を経て流出する処理水Ｃの流れ方向に沿った方向に行われるので、開閉時における全開あるいは全閉となるまでのタイムラグがほとんどなく、従って、処理水Ｃの選別精度の向上を図ることができる。
【００３５】
また、上記選別弁１１を開閉するためのアクチュエーター１３が、選別槽３の上方を覆うフタ部材１６上に配設された一対の支持部材１７上に載置される保持板１８によって固着されない状態で保持されていることにより、選別弁１１を開閉する際に生じる反動を保持板１８が一対の支持部材１７上から離れることで吸収することができ、装置の破損等の不具合を防止することができるので、より高い信頼性を得ることができる。
【００３６】
尚、上述した考案を実施するための最良の形態では、混合槽２と選別槽３とが一体的に形成された混合選別槽１における選別槽３に対して選別弁１１を用いた場合について示したが、これに限らず、混合槽２および選別槽３がそれぞれ独立して形成されている場合における選別槽３に適用することも可能である。
【実施例】
【００３７】
次に、本考案の好適な実施例として、上述した本考案の選別槽における選別弁を使用した中和処理装置を添付図面に基づき詳述する。
図６に示したように中和処理装置は、処理すべき原水Ａが貯留される原水貯槽４、混合槽２および選別槽３が一体的に形成された混合選別槽１、中和薬液Ｂを一次側混合槽２５内に送給するための薬液注入装置５、中和薬液Ｂを貯めておくための薬液槽７、中和処理装置全体を制御するための制御部８によって構成される比例制御式の中和処理装置である。
【００３８】
そして、本考案の選別槽３における選別弁１１は、上記混合槽２および選別槽３が一体的に形成された混合選別槽１（図１，図２参照）を構成する選別槽３に配設されるものであり、混合選別槽１（混合槽および選別槽）と選別弁１１の詳細については前記考案を実施するための最良の形態にて詳述したので、ここではその説明を省略する。
【００３９】
尚、上記比例制御式の中和処理装置にて用いられる中和薬液Ｂは、処理すべき原水Ａがアルカリ性の時には酸性の薬液であり、処理すべき原水Ａが酸性の時にはアルカリ性の薬液である。
【００４０】
そして、上記中和処理装置を稼動させると、先ず、処理すべき原水Ａがポンプ４２によって送出され、ポンプ４２に連なる原水供給管４１を経て一次側混合槽２５の上部に供給される。一次側混合槽２５の上部に供給された処理すべき原水Ａは、一次側混合槽２５の内部に形成されている流路を通って二次側混合槽２６に流れ、上記二次側混合槽２６の上部に形成されたオーバーフロー用開口部２３から外部にオーバーフローして流出する。
【００４１】
そして、オーバーフローして流出した処理水Ｃは、選別槽３内に流入するものであり、このとき、選別槽３内に流入する処理水Ｃの水素イオン濃度は、二次側混合槽２６の上部に配設されているｐＨセンサー９によって測定されており、処理水Ｃが所定の水素イオン濃度に適合していない場合には、選別弁１１が開動作され、また、処理水Ｃが所定の水素イオン濃度に適合している場合には、選別弁１１が閉動作するものであり、上記選別弁１１の開閉動作は、ｐＨセンサー９にて測定された処理水Ｃの水素イオン濃度に基づいて制御部から発せられる動作信号によって動作するアクチュエーターによって行われる。
【００４２】
そして、この場合、まだ中和薬剤Ｂが供給されておらず、処理水Ｃは、処理すべき原水Ａのままであり、処理水Ｃが所定の水素イオン濃度に適合していないので、選別弁１１は開動作され、選別槽３内に流入した処理水Ｃは、戻し配管３１の戻し口３３から原水貯槽４に戻され、外部には放流されない。
【００４３】
このように、選別槽３内に流入した処理水Ｃが原水貯槽４に戻されている間に、ｐＨセンサー９の測定値に基づいて薬液注入装置５が作動し、中和薬液Ｂが薬液槽７から中和薬液供給管５１を介して一次側混合槽２５の上部に供給され、これによって、一次側混合槽２５の上部には、処理すべき原水Ａと中和薬液Ｂが流入する。
【００４４】
また、上記薬液注入装置５としては、薬液注入定量ポンプ６が考慮され、上記薬液注入定量ポンプは、ｐＨセンサー９の測定値に基づいて作動するものであって、処理水Ｃの水素イオン濃度に応じて予め定められた量の中和薬液Ｂを送出するものである。
【００４５】
そして、これらの処理すべき原水Ａと中和薬液Ｂは、一次側混合槽２５内に形成されている流路を通って下部に流れ、区画板６１の下部に形成された開口部６３を経て二次側混合槽２６の下部に流入し、さらに、二次側混合槽２６内に形成された流路を通って上部に至り、二次側混合槽２６の上部に形成されているオーバーフロー用開口部２３から外部にオーバーフローして選別槽３へと流出する。
【００４６】
しかも、上記一次側混合槽２５および二次側混合槽２６に形成された流路は、前記のように、区画板６１に配設された複数の流路形成板６２によって形成されるものであって、処理すべき原水Ａと中和薬液Ｂは、一次側混合槽１５および二次側混合槽２６の内部を流れながら十分に混合され、二次側混合槽２６の上部に至る。
【００４７】
そして、二次側混合槽２６の上部に至った処理水Ｃが所定の水素イオン濃度に適合しているかどうかは、二次側混合槽の上部に配設されているｐＨセンサーによって測定され、所定の水素イオン濃度に適合している場合には、上記選別弁１１が閉動作し、選別弁１１が閉動作することによって、選別槽３内に流入した処理水Ｃは原水貯槽４に戻されなくなり、選別槽３内に貯まり、選別槽３内の液面レベルが次第に上昇し、放流口３６の形成されている上方位置まで上昇した時に、この所定の水素イオン濃度に適合している処理水Ｃは、放流口３６からオーバーフロー（図４参照）し、放流用配管３４を介して外部に放流される。
【００４８】
そして、上述したように、処理水Ｃの外部への放流は、受け入れた処理水Ｃを一旦、選別槽３内部に貯め、その液面レベルが所定のレベルに達した後にオーバーフローによって行われるものであり、放流中も、二次側混合槽２６の上部に配設されたｐＨセンサー９によって常時その水素イオン濃度が測定されているものであり、処理水Ｃが所定の水素イオン濃度に適合しなくなった場合には、再び上記選別弁１１を開動作させ、選別槽３内に流入した処理水Ｃを戻し口３３から戻し配管３１を介して原水貯槽４に戻すものである。
【００４９】
また、上記ｐＨセンサー９が測定した時と、選別弁１１が開動作する間に多少のタイムラグが生じるが、選別槽３内には所定の水素イオン濃度に適合した処理水Ｃが常時貯められており、流入した処理水Ｃは、選別槽３内に貯められている処理水Ｃ中に一旦沈み、これらと混ざり合った後に上昇して放流口３６から放流用配管３４を経て放流されるので、所定の水素イオン濃度に適合していない処理水Ｃが放流口３６まで上昇するのにある程度の時間を要し、この間に選別弁１１が開動作して選別槽３内に貯まっている処理水Ｃを原水貯槽４に戻し、液面レベルを低下させることができるので、選別槽３内に流入した所定の水素イオン濃度に適合していない処理水Ｃが放流口３６から放流用配管３４を介して外部に放流される不具合が生じる心配が無い。
【００５０】
しかも、本考案の選別弁１１の開閉動作は、上記考案を実施するための最良な形態で示したように、非常に迅速であり、瞬時に開動作あるいは閉動作を行うことができるので、処理水Ｃの選別精度を高く維持することができる。
【００５１】
尚、本実施例では、薬液注入装置５が薬液注入定量ポンプ６である場合を示したが、これに限らず、ｐＨセンサー９にて測定されたｐＨ値に対応する電流で電解液を分解し、その際に発生するガス（水素ガスと酸素ガス）の圧力を利用して中和薬液Ｂを送給する電解比例式の薬液注入器等を用いることもできる。
【図面の簡単な説明】
【００５２】
【図１】本考案の選別槽における選別弁の構成を示す斜視図である。
【図２】図１におけるＸ−Ｘ線に沿う断面図である。
【図３】選別弁が開の状態（処理水を原水貯槽に戻す際の状態）を示す図２におけるＹ−Ｙ線に沿う断面図である。
【図４】選別弁が閉の状態（処理水を放流する際の状態）を示す図２におけるＹ−Ｙ線に沿う断面図である。
【図５】混合槽およびその内部の状態を示す斜視図である。
【図６】本考案の選別槽における選別弁を備えた中和処理装置を示す構成図である。
【符号の説明】
【００５３】
１  混合選別槽
２  混合槽
３  選別槽
４  原水貯槽
５  薬液注入装置
６  薬液注入定量ポンプ
７  薬液槽
８  制御部
９  ｐＨセンサー
１１  選別弁
１２  弁本体
１３  アクチュエーター
１４  開閉ロッド
１５  ロッドガイド
１６  フタ部材
１７  一対の支持部材
１８  保持板
１９  一対の位置決め突起
２０  テーパー面
２１  混合槽本体
２２  流路形成体
２３  オーバーフロー用開口部
２４  内壁
２５  一次側混合槽
２６  二次側混合槽
３１  戻し配管
３２  開口端
３３  戻し口
３４  放流用配管
３５  開口端
３６  放流口
３７  底面
３８  切欠き部
３９  流れ方向
４１  原水供給管
４２  ポンプ
５１  中和薬液供給管
６１  区画板
６２  流路形成板
６３  開口部
６４  ｐＨセンサー保持部
６５  フタ
Ａ  処理すべき原水
Ｂ  中和薬液
Ｃ  処理水
Ｄ  電解液
Ｓ  隙間
Ｌ  水位
【図１】
0003102161.tif 000003
【図２】
0003102161.tif 000004
【図３】
0003102161.tif 000005
【図４】
0003102161.tif 000006
【図５】
0003102161.tif 000007
【図６】
0003102161.tif 000008